(57)【特許請求の範囲】
【請求項１】
映像コンテンツデータを記録媒体に記録する記録再生装置と，前記記録再生装置から伝送される前記映像コンテンツデータを表示する編集者端末装置と，前記記録再生装置および前記編集者端末装置を相互に接続するネットワークとから成る映像コンテンツ編集支援システムにおいて：
前記映像コンテンツデータ内で、少なくとも光の明滅により生じるフラッシュ、光の連続交代的な明滅により生じるクロマフラッシュ、カラーバー、光が次第に明るくなるフェードイン、光が次第に暗くなるフェードアウトのいずれかの特徴を有する一または二以上のフレームにより形成される特徴フレームデータが存在する位置を判断する判断部と，
前記判断部により判断された位置の情報に基づき、前記特徴フレームデータの種類が前記特徴のいずれに対応するかを識別するための電子ショットマークデータを当該特徴フレームデータと同期して前記記録媒体におけるタイムコードトラック内の所定箇所に記録する記録部と，
前記映像コンテンツデータの特徴フレームデータと同期して記録された前記電子ショットマークデータの記録位置を基準として前記特徴フレームデータを抽出する編集部と、
を備え、
前記編集部は、抽出した前記特徴フレームデータに対応する前記電子ショットマークデータを当該特徴フレームデータの種類を示すテキストデータに変換し、前記電子ショットマークデータが受信される毎に当該特徴フレームデータの見出し情報として表示することを特徴とする，映像コンテンツ編集支援システム。
【請求項２】
前記編集部は，前記フラッシュの特徴フレームデータを抽出する場合に、前記電子ショットマークデータが記録された位置にある前記特徴フレームデータよりも、所定時間だけ前にずれた位置にあるフレームを前記特徴フレームデータとして抽出することを特徴とする，請求項１に記載の映像コンテンツ編集支援システム。
【請求項３】
前記編集部は，前記抽出した特徴フレームデータの見出し情報を少なくとも含むように当該特徴フレームデータの情報を表すショットカードデータを作成して表示することを特徴とする，請求項２に記載の映像コンテンツ編集支援システム。
【請求項４】
映像コンテンツデータを記録媒体に記録する記録再生装置とネットワークを介して，前記記録再生装置から伝送される前記映像コンテンツデータを表示する編集者端末装置であって：
前記編集者端末装置は，
前記映像コンテンツデータ内で、少なくとも光の明滅により生じるフラッシュ、光の連続交代的な明滅により生じるクロマフラッシュ、カラーバー、光が次第に明るくなるフェードイン、光が次第に暗くなるフェードアウトのいずれかの特徴を有する一または二以上のフレームにより形成される特徴フレームデータと同期して前記記録媒体におけるタイムコードトラック内の所定箇所に記録され、当該特徴フレームデータの種類が前記特徴のいずれに対応するかを識別するための電子ショットマークデータを基準として当該特徴フレームデータを抽出する編集部を備え、
前記編集部は、抽出した前記特徴フレームデータに対応する前記電子ショットマークデータを当該特徴フレームデータの種類を示すテキストデータに変換し、前記電子ショットマークデータが受信される毎に当該特徴フレームデータの見出し情報として表示することを特徴とする，編集者端末装置。
【請求項５】
前記編集部は，前記フラッシュの特徴フレームデータを抽出する場合に、前記電子ショットマークデータが記録された位置にある前記特徴フレームデータよりも、所定時間だけ前にずれた位置にあるフレームを前記特徴フレームデータとして抽出することを特徴とする，請求項４に記載の編集者端末装置。
【請求項６】
前記編集部は，前記抽出した特徴フレームデータの見出し情報を少なくとも含むように当該特徴フレームデータの情報を表すショットカードデータを作成して表示することを特徴とする，請求項５に記載の編集者端末装置。
【請求項７】
請求項４〜６に記載の編集者端末装置が備える各部の機能をコンピュータに実現させるためのコンピュータプログラム。
【請求項８】
請求項７に記載のコンピュータプログラムが記録された、コンピュータによって読み取ることが可能な記憶媒体。
【請求項９】
映像コンテンツデータを記録媒体に記録する記録再生装置とネットワークを介して接続される前記記録再生装置から伝送される前記映像コンテンツデータを表示する編集者端末装置とから成る映像コンテンツ編集支援における映像コンテンツ編集支援方法であって：
前記映像コンテンツデータ内で、少なくとも光の明滅により生じるフラッシュ、光の連続交代的な明滅により生じるクロマフラッシュ、カラーバー、光が次第に明るくなるフェードイン、光が次第に暗くなるフェードアウトのいずれかの特徴を有する一または二以上のフレームにより形成される特徴フレームデータの存在する位置が判断される判断ステップと；
前記判断ステップにおいて判断された位置の情報に基づき、前記特徴フレームデータの種類が前記特徴のいずれに対応するかを識別するための電子ショットマークデータが前記映像コンテンツデータの特徴フレームデータと同期して前記記録媒体におけるタイムコードトラック内の所定箇所に記録される記録ステップと；
前記映像コンテンツデータの特徴フレームデータと同期して記録された前記電子ショットマークデータの記録位置を基準として，前記特徴フレームデータが抽出される抽出ステップと；
前記抽出ステップにおいて抽出された前記特徴フレームデータに対応する前記電子ショットマークデータが当該特徴フレームデータの種類を示すテキストデータに変換される変換ステップと；
前記変換ステップにおいて前記電子ショットマークデータから変換されたテキストデータが、前記電子ショットマークデータが受信される毎に前記特徴フレームデータの見出し情報として表示される表示ステップと；
を含むことを特徴とする，映像コンテンツ編集支援方法。
【請求項１０】
前記抽出ステップにおいて、前記フラッシュの特徴フレームデータを抽出する場合に、前記電子ショットマークデータが記録された位置にある前記特徴フレームデータよりも、所定時間だけ前にずれた位置にあるフレームが前記特徴フレームデータとして抽出されることを特徴とする，請求項９に記載の映像コンテンツ編集支援方法。
【請求項１１】
前記抽出ステップにおいて、前記特徴フレームデータは，撮影された前記映像コンテンツデータに記述された前記電子ショットマークデータを基準として，一括して抽出されることを特徴とする，請求項１０に記載の映像コンテンツ編集支援方法。
【請求項１２】
前記抽出ステップで抽出された特徴フレームデータの見出し情報が少なくとも含まれるように当該特徴フレームデータの情報を表すショットカードデータが作成される作成ステップをさらに含むことを特徴とする，請求項１１に記載の映像コンテンツ編集支援方法。
【発明の詳細な説明】
【０００１】
【発明の属する技術分野】
本発明は，映像コンテンツを編集する編集システムにかかり，特に映像コンテンツ編集支援システム，記録再生装置，編集者端末装置，コンピュータプログラム，記憶媒体，映像コンテンツ編集支援方法，に関する。
【０００２】
【従来の技術】
ＴＶ（Ｔｅｌｅｖｉｓｉｏｎ）をなどの放送番組は，取材先の現場などで撮影されたコンテンツ素材である映像コンテンツデータを編集して放映している。上記映像コンテンツの編集においては，粗編集と本編集などの編集処理がある。本編集は，粗編集された映像コンテンツデータから，完成作品である最終映像コンテンツデータ（完全パッケージ）を制作することである。
【０００３】
粗編集は，撮影直後の素材データである映像コンテンツデータに構成される場面ごとの映像シーンの中から，最終工程である本編集で必要となる映像シーンを，編集者が選択して，選択された映像シーンの使用部分の抽出を行うために，編集開始位置（Ｉｎ点）および編集終了位置（Ｏｕｔ点）からなる時間的位置（タイムコード）を紙媒体などに記録して，必要な映像シーンだけを抽出する本編集前の編集作業（粗編集）である。
【０００４】
【発明が解決しようとする課題】
しかしながら，撮影された映像コンテンツデータに構成される１または２以上の映像シーンがどこに存在するのか即座に分かりにくいため，磁気テープなどの記録媒体に記録された映像コンテンツデータを最初から記録再生装置（ＶＴＲ）などで再生処理または再生・巻き戻し処理などを繰返し行うことにより，映像シーンと映像シーンとの間に存在する特徴のある画像（画像フレーム）であるカラーバー（Ｃｏｌｏｒ  Ｂａｒ）などを目印に映像シーンが，編集者等により検出されている。
【０００５】
また，放送業界の報道番組（ニュース番組）などに使われる映像シーンにおいては，被写体に対してカメラのストロボなどのフラッシュが発光された映像シーンなどが多いことから，粗編集では，編集者等により，映像コンテンツデータをＶＴＲなどで，最初から再生処理または再生・巻き戻し処理などを繰返し行い，まずフラッシュが存在する映像シーンが選択されて，選択された映像シーンの使用部分である編集位置（Ｉｎ点，Ｏｕｔ点）がタイムコードにより決定されて，紙媒体などにタイムコードが記録されていた。
【０００６】
なお，映像シーンは１または２以上の画像のフレームから構成されており，映像コンテンツデータは，上記映像シーンの１または２以上からなる集まりであるとする。
【０００７】
したがって，映像コンテンツデータに構成される映像シーンについて再生・巻き戻し処理などを繰返し行う必要があることから，上記映像シーンの選択（Ｌｏｇｇｉｎｇ）および選択された映像シーンの中から使用する個所を抽出する（Ｉｎｇｅｓｔｉｎｇ）作業（粗編集）の効率が上がらないという問題点があった。
【０００８】
本発明は，上記問題点に鑑みてなされたものであり，本発明の目的は，映像コンテンツデータを最初から繰返し再生処理せずに，特徴を有する一または二以上から成るフレームを抽出することにより，本編集までに至る編集処理の作業効率を高めることが可能な，新規かつ改良された映像コンテンツ制作支援システムを提供することである。
【０００９】
【課題を解決するための手段】
上記課題を解決するため，本発明の第１の観点によれば，映像コンテンツデータを記録媒体に記録または記録媒体に記録された映像コンテンツデータを再生する記録再生装置と，記録再生装置から伝送される映像コンテンツデータを表示する編集者端末装置と，記録再生装置および編集者端末装置を相互に接続するネットワークとから成る映像コンテンツ編集支援システムが提供される。この映像コンテンツ編集支援システムにおいては，映像コンテンツデータに含まれる一または二以上のフレームからなる特徴フレームデータを判断する判断部と，特徴フレームデータに関連する電子ショットマークデータを映像コンテンツデータに記述する記録部と，映像コンテンツデータに記述された電子ショットマークデータを基準として，特徴フレームデータを抽出する編集部とを備えている。
【００１０】
本発明によれば，映像コンテンツ編集支援システムは，映像コンテンツデータに含まれる一または二以上のフレームからなる特徴フレームデータを検知して，特徴フレームデータを知らせる電子ショットマークデータを映像コンテンツデータの検知位置に記述して，検知位置を基準として特徴フレームデータを抽出する。かかる構成により，映像コンテンツデータ内に存在する可能性を有する特徴フレームが検知された場合，検知された位置および該当する特徴フレームのインデックス情報が通知されるので，編集作業が改善される。なお，特徴フレームデータは，映像コンテンツデータを構成するフレーム単位の画像フレームデータおよび複数のフレームからなる映像シーンである。
【００１１】
なお，映像コンテンツデータに含まれる一または二以上のフレームからなる特徴フレームデータを判断する判断部は，上記記録再生装置または上記編集者端末装置のどちらに備わってもよい。
【００１２】
また，特徴フレームデータに関連する電子ショットマークデータを映像コンテンツデータに記述する記録部は，上記記録再生装置または上記編集者端末装置のどちらに備わってもよい。
【００１３】
さらに，映像コンテンツデータに記述された電子ショットマークデータを基準として，特徴フレームデータを抽出する編集部は，上記記録再生装置または上記編集者端末装置のどちらに備わってもよい。
【００１４】
編集部は，電子ショットマークデータに基づいて，抽出された特徴フレームデータの見出し情報を含むショットカードデータを作成するように構成することができる。かかる構成により，表示されるショットカードデータに基づいて，編集で必要または不必要な特徴フレームデータの選択作業の効率化が図れる。
【００１５】
記録部は，電子ショットマークデータを記録媒体におけるタイムコードトラックに記録するように構成することができる。かかる構成により，映像コンテンツデータを視聴するための通常再生よりも再生速度が速い変速再生処理で，映像コンテンツデータに記述された電子ショットマークデータを検出することが可能であり，特徴フレームデータの検出作業の効率化が図れる。
【００１６】
特徴フレームデータは，少なくとも光の明滅により生じるフラッシュを含むように構成することができる。かかる構成により，フラッシュが含まれる映像シーン（出来事）の選択作業の効率化を図れる。
【００１７】
特徴フレームデータは，少なくとも光の連続交代的な明滅により生じるクロマフラッシュを含むように構成することができる。かかる構成により，クロマフラッシュが含まれる映像シーンの選択作業の効率化を図れる。なお，クロマフラッシュとは，一定の時間内に連続して光が点滅することにより発生するフラッシュである。
【００１８】
特徴フレームデータは，少なくともカラーバーを含むように構成することができる。かかる構成により，映像シーンごとに挿入されるカラーバーを抽出することにより，映像シーンの検出作業の効率化が図れる。
【００１９】
特徴フレームデータは，少なくとも光が次第に明るくなるフェードインを含むように構成することができる。かかる構成により，映像シーンの効果としてフェードインが含まれる映像シーンの選択作業の効率化を図れる。
【００２０】
特徴フレームデータは，少なくとも光が次第に暗くなるフェードアウトを含むように構成することができる。かかる構成により，映像シーンの効果としてフェードアウトが含まれる映像シーンの選択作業の効率化を図れる。
【００２１】
編集部は，電子ショットマークデータが記述された映像コンテンツデータの特徴フレームデータよりも前後所定のタイムラグをもつ特徴フレームデータを抽出するように構成することができる。かかる構成により，電子ショットマークデータが記述された特徴フレームデータよりも，より適正な特徴フレームデータを抽出することにより，目的とする映像シーンの選択作業の効率化が図れる。
【００２２】
さらに，本発明の別の観点によれば，編集者端末装置とネットワークを介して接続される映像コンテンツデータを記録媒体に記録または記録媒体に記録された映像コンテンツデータを再生する記録再生装置が提供される。この記録再生装置は，映像コンテンツデータに含まれる一または二以上のフレームからなる特徴フレームデータを判断する判断部と，特徴フレームデータに関連する電子ショットマークデータを映像コンテンツデータに記述する記録部とを備えている。
【００２３】
本発明によれば，映像コンテンツデータに含まれる一または二以上のフレームからなる特徴フレームデータを検知して，特徴フレームデータを知らせる電子ショットマークデータを映像コンテンツデータの検知位置に記述して，検知位置を基準として特徴フレームデータを抽出する。かかる構成により，映像コンテンツデータ内に存在する可能性を有する特徴フレームが検知された場合，検知された位置および該当する特徴フレームのインデックス情報が通知されるので，編集作業が改善される。なお，特徴フレームデータは，映像コンテンツデータを構成するフレーム単位の画像フレームデータおよび複数のフレームからなる映像シーンである。
【００２４】
記録部は，電子ショットマークデータを記録媒体におけるタイムコードトラックに記録するように構成することができる。かかる構成により，映像コンテンツデータを視聴するための通常再生よりも再生速度が速い変速再生処理で，映像コンテンツデータに記述された電子ショットマークデータを検出することが可能であり，特徴フレームデータの検出作業の効率化が図れる。
【００２５】
特徴フレームデータは，少なくとも光の明滅により生じるフラッシュを含むように構成することができる。かかる構成により，フラッシュが含まれる映像シーン（出来事）の選択作業の効率化を図れる。
【００２６】
特徴フレームデータは，少なくとも光の連続交代的な明滅により生じるクロマフラッシュを含むように構成することができる。かかる構成により，クロマフラッシュが含まれる映像シーンの選択作業の効率化を図れる。なお，クロマフラッシュとは，一定の時間内に連続して光が点滅することにより発生するフラッシュである。
【００２７】
特徴フレームデータは，少なくともカラーバーを含むように構成することができる。かかる構成により，映像シーンごとに挿入されるカラーバーを抽出することにより，映像シーンの検出作業の効率化が図れる。
【００２８】
特徴フレームデータは，少なくとも光が次第に明るくなるフェードインを含むように構成することができる。かかる構成により，映像シーンの効果としてフェードインが含まれる映像シーンの選択作業の効率化を図れる。
【００２９】
特徴フレームデータは，少なくとも光が次第に暗くなるフェードアウトを含むように構成することができる。かかる構成により，映像シーンの効果としてフェードアウトが含まれる映像シーンの選択作業の効率化を図れる。
【００３０】
さらに，本発明の別の観点によれば，映像コンテンツデータを記録媒体に記録または記録媒体に記録された映像コンテンツデータを再生する記録再生装置とネットワークを介して，記録再生装置から伝送される映像コンテンツデータを表示する編集者端末装置が提供される。この編集者端末装置は，映像コンテンツデータに含まれる一または二以上のフレームからなる特徴フレームデータに関連する映像コンテンツデータに記述される電子ショットマークデータを基準として，特徴フレームデータを抽出する編集部とを備えている。
【００３１】
本発明によれば，映像コンテンツデータに記述された電子ショットマークデータを基準として特徴フレームデータを抽出する。かかる構成により，映像コンテンツデータ内に含まれる特徴フレームが抽出されるので，特徴を有する映像シーンを選択する編集作業が改善される。なお，特徴フレームデータは，映像コンテンツデータを構成するフレーム単位の画像フレームデータおよび複数のフレームからなる映像シーンである。
【００３２】
編集部は，電子ショットマークデータに基づいて，抽出された特徴フレームデータの見出し情報を含むショットカードデータを作成するように構成することができる。かかる構成により，表示されるショットカードデータに基づいて，編集で必要または不必要な特徴フレームデータの選択作業の効率化が図れる。
【００３３】
特徴フレームデータは，少なくとも光の明滅により生じるフラッシュを含むように構成することができる。かかる構成により，フラッシュが含まれる映像シーン（出来事）の選択作業の効率化を図れる。
【００３４】
特徴フレームデータは，少なくとも光の連続交代的な明滅により生じるクロマフラッシュを含むように構成することができる。かかる構成により，クロマフラッシュが含まれる映像シーンの選択作業の効率化を図れる。なお，クロマフラッシュとは，一定の時間内に連続して光が点滅することにより発生するフラッシュである。
【００３５】
特徴フレームデータは，少なくともカラーバーを含むように構成することができる。かかる構成により，映像シーンごとに挿入されるカラーバーを抽出することにより，映像シーンの検出作業の効率化が図れる。
【００３６】
特徴フレームデータは，少なくとも光が次第に明るくなるフェードインを含むように構成することができる。かかる構成により，映像シーンの効果としてフェードインが含まれる映像シーンの選択作業の効率化を図れる。
【００３７】
特徴フレームデータは，少なくとも光が次第に暗くなるフェードアウトを含むように構成することができる。かかる構成により，映像シーンの効果としてフェードアウトが含まれる映像シーンの選択作業の効率化を図れる。
【００３８】
編集部は，電子ショットマークデータが記述された映像コンテンツデータの特徴フレームデータよりも前後所定のタイムラグをもつ特徴フレームデータを抽出するように構成することができる。かかる構成により，電子ショットマークデータが記述された特徴フレームデータよりも，より適正な特徴フレームデータを抽出することにより，目的とする映像シーンの選択作業の効率化が図れる。
【００３９】
さらに，本発明の別の観点によれば，コンピュータをして上記編集者端末装置として機能させるコンピュータプログラムおよびそのコンピュータプログラムが記憶されたコンピュータ読み取り可能な記憶媒体が提供される。
【００４０】
さらに，本発明の別の観点によれば，映像コンテンツデータを記録媒体に記録または記録媒体に記録された映像コンテンツデータを再生する記録再生装置とネットワークを介して接続される記録再生装置から伝送される映像コンテンツデータを表示する編集者端末装置とから成る映像コンテンツ編集支援方法が提供される。この映像コンテンツ編集支援方法においては，映像コンテンツデータに含まれる一または二以上のフレームからなる特徴フレームデータを判断し，特徴フレームデータに関連する電子ショットマークデータを映像コンテンツデータに記述し，映像コンテンツデータに記述された電子ショットマークデータを基準として，特徴フレームデータを抽出することを特徴としている。
【００４１】
映像コンテンツデータに特徴フレームデータが検出されると，検知された位置および該当する特徴フレームのインデックス情報が通知されるので，編集作業が改善される。
【００４２】
編集部は，映像コンテンツデータに記述された電子ショットマークデータに基づいて，特徴フレームデータの見出し情報を含むショットカードデータを作成するように構成することができる。かかる構成により，編集処理に必要な映像シーン，映像シーンに関連する見出し情報，またはタイムコードを含むショットカードデータを一括して作成することが可能となり編集作業の効率化を図れる。
【００４３】
電子ショットマークデータに基づいて，抽出された特徴フレームデータの見出し情報を含むショットカードデータが作成されるように構成してもよい。
【００４４】
電子ショットマークデータは，記録媒体におけるタイムコードトラックに記録されるように構成してもよい。
【００４５】
特徴フレームデータは，少なくとも光の明滅により生じるフラッシュを含むように構成することができる。かかる構成により，フラッシュが含まれる映像シーン（出来事）の選択作業の効率化を図れる。
【００４６】
特徴フレームデータは，少なくとも光の連続交代的な明滅により生じるクロマフラッシュを含むように構成することができる。かかる構成により，クロマフラッシュが含まれる映像シーンの選択作業の効率化を図れる。なお，クロマフラッシュとは，一定の時間内に連続して光が点滅することにより発生するフラッシュである。
【００４７】
特徴フレームデータは，少なくともカラーバーを含むように構成することができる。かかる構成により，映像シーンごとに挿入されるカラーバーを抽出することにより，映像シーンの検出作業の効率化が図れる。
【００４８】
特徴フレームデータは，少なくとも光が次第に明るくなるフェードインを含むように構成することができる。かかる構成により，映像シーンの効果としてフェードインが含まれる映像シーンの選択作業の効率化を図れる。
【００４９】
特徴フレームデータは，少なくとも光が次第に暗くなるフェードアウトを含むように構成することができる。かかる構成により，映像シーンの効果としてフェードアウトが含まれる映像シーンの選択作業の効率化を図れる。
【００５０】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００５１】
（１．  システム構成）
まず，図１，図２，および図３を参照しながら，本発明に基づいて構成された映像コンテンツ編集支援システムの構成について説明する。図１は，本実施の形態にかかる映像コンテンツ編集支援システムの概略的な構成を示すブロック図であり，図２は，本実施の形態にかかる映像コンテンツ編集支援システムの編集者端末装置４の構成を示すブロック図であり，図３は，本実施の形態にかかる映像コンテンツ編集支援システムの記録再生装置２の構成を示すブロック図である。
【００５２】
まず，図１に示すように，映像コンテンツ編集支援システムは，ネットワーク１６を介して，ＶＴＲ（Ｖｉｄｅｏ  Ｔａｐｅ  Ｒｅｃｏｒｄｅｒ）などの記録再生装置２と，携帯用コンピュータ装置６，携帯電話８，または携帯端末１０などからなる編集者端末装置４とが相互に接続されている。
【００５３】
上記記録再生装置２は，必ずしも１台から構成される必要はなく，複数台からなる記録再生装置２が，ネットワーク１６を介して，複数台から構成される編集者端末装置４とピアツーピア（Ｐｅｅｒ  ｔｏ  Ｐｅｅｒ）に接続されている。
【００５４】
また，記録再生装置２と，編集者端末装置４との間にサーバ（図示せず）を備えることで，ピアツーピアではなく，記録再生装置２および編集者端末装置４をクライアントとした，クライアント／サーバ（Ｃｌｉｅｎｔ／Ｓｅｒｖｅｒ）のネットワークに構成することも可能である。
【００５５】
記録再生装置２は，ＶＴＲであり，ニュース番組の取材や，スポーツなどの試合の模様や，映画などの素材の撮影に記録された映像コンテンツデータを，記録または再生する装置である。
【００５６】
また図１に示すように，記録媒体１４を記録再生装置２にセット（挿入）することで，例えば取材の現場で，記録再生装置２により映像コンテンツデータを記録媒体１４に記録することができる。なお，本実施の形態にかかる記録媒体１４は，磁気テープなどの媒体であり，例えばＤ１０用とされるデジタルＶＴＲフォーマットのビデオテープなどを巻装している。
【００５７】
映像コンテンツデータは，写真や絵画などの静止画像データ，映画や演劇などの動画像データ，ラジオ番組などの音声データ，またはそれらの組合せから構成されるデータである。なお，本実施の形態にかかる映像コンテンツデータは，コンピュータの読取り可能なデジタルデータを使用しているが，アナログデータであっても実施可能である。
【００５８】
また，１の映像コンテンツデータには，１または２以上のフレームから成る映像シーンが構成されており，さらに１または２以上のフレームから成る特徴フレームデータが含まれる。ただし，特徴フレームデータが含まれない場合もある。１または２以上の映像シーンまたは特徴フレームデータの集まりから１つの物語性などを有する映像コンテンツデータを構成する。
【００５９】
さらに，１の映像シーンまたは特徴フレームデータには，１または２以上の画像フレームデータが構成されている。画像フレームデータのフレームの集まりが１つの場面を構成する映像シーンとなる。
【００６０】
（１．１  映像コンテンツデータの本編集および粗編集作業）
上記記録された映像コンテンツデータに構成される１または２以上からなる特徴フレームデータを抽出して，抽出された特徴フレームデータに基づいて，本編集で使用される映像シーン（カット）を集める（Ｌｏｇｇｉｎｇ）。
【００６１】
例えば，特徴フレームデータに含まれるカラーバーは，テレビ受像機などの色調調整などに使用するため，三原色とその捕色などを帯状に示した映像または映像信号のことであり，例えば，映像シーンと映像シーンとの間に，シーンの区切りとしてカラーバーである特徴フレームデータを挿入して，映像シーンの切れ目を把握するなどに使用される。
【００６２】
さらに，フラッシュ，クロマフラッシュ，フェードイン，またはフェードアウトからなる特徴フレームデータが，映像シーンに含まれる場合，特徴フレームデータを抽出することにより，編集に必要な映像シーンを選択する際の効果的な判断材料となる。
【００６３】
例えば，フラッシュからなる特徴フレームデータが，映像シーンに含まれる場合，放送のニュース番組の取材では，注目される重要人物を被写体として取材する場合が多く，被写体が現れた場合には，被写体を取材するための撮像装置に付随するストロボにより，フラッシュが発光される。
【００６４】
したがって，編集に使用される映像シーンは，特徴フレームデータのフラッシュが含まれる映像シーンが，本編集においても使用されることが多くなり，予めフラッシュの特徴フレームデータが抽出された映像シーンを効率的に選択することにより，編集作業の効率化が図れる。
【００６５】
次に，集められた映像シーンの中から，編集に使用する映像シーンを取捨選択して，使用する映像シーンの，編集開始位置（Ｉｎ点）または編集終了位置（Ｏｕｔ点）を設定して，本編集のための映像シーンの抽出処理などから成る，粗編集を経て，番組などで放送（放映）するための完全パッケージデータが作成される（本編集）。
【００６６】
上記完全パッケージデータは，従来では，映像コンテンツデータ（記録素材データ）が記録された記録媒体１４を，映像コンテンツデータの最初から再生して，使用されると思われる映像シーンのＩｎ点またはＯｕｔ点である編集位置を，記録媒体１４に記録されたタイムコードに基づいて，人手により編集位置を決定して紙媒体などに記録していた。なお，タイムコードについては，後程詳細に説明する。
【００６７】
ネットワーク１６は，ＲＳ−２３２ＣまたはＲＳ−４２２などの有線またはＩＥＥＥ８０２．１１ｂ規格などを始めとした無線から構成される。また，衛星通信や，光ファイバなどの有線，無線などから構成することも可能である。
【００６８】
（１．２  電子ショットマークデータについて）
つぎに，本実施の形態にかかる電子ショットマークデータの特徴について説明する。
【００６９】
電子ショットマークデータは，撮影時において，映像データまたは音声データなどからなる映像コンテンツデータに記述（記録）される映像コンテンツデータに関連した情報から構成された関連データ（メタデータ）である。
【００７０】
電子ショットマークデータは，映像コンテンツデータに含まれる特徴フレームデータの特徴または種類などを識別するメタデータであり，映像コンテンツデータに記述された電子ショットマークデータをキーワードとして索引するインデックスでもある。また，電子ショットマークデータは，映像コンテンツデータのフレームごとに記述することが可能である。
【００７１】
上記電子ショットマークデータは，記録再生装置２により，磁気テープなどの記録媒体１４における，長手方向のタイムコードトラック内の所定個所に，記述されるフレームの特徴フレームデータと同期して記述される。なお，記録媒体１４におけるタイムコードトラックについては後程詳細する。
【００７２】
したがって，映像コンテンツデータに記述された電子ショットマークデータおよびタイムコードを，粗編集処理において，インデックスとして索引することにより，短時間に目的とした映像データまたは音声データなどからなる映像シーンを検索することが可能となる。
【００７３】
さらに，映像コンテンツデータを記録再生装置（ＶＴＲ）などにより，繰返し再生処理をせずに，事前に本編集に必要となる映像シーンを選択する作業の効率化を図れる。電子ショットマークデータは，テープの位置を示すタイムコードデータと同じく，映像コンテンツデータを視聴するための通常再生よりも速い再生速度である変速再生時の場合でも検出することが可能である。なお，タイムコードデータについては，後程詳述する。
【００７４】
（１．３  記録媒体１４におけるタイムコードトラックついて）
次に，図４を参照しながら，記録再生装置２により電子ショットマークデータが記録される記録媒体１４について説明する。図４は，本実施の一形態にかかる記録媒体を示した説明図である。
【００７５】
図４に示すように，記録媒体１４は，テープ上に記録再生装置２の回転ヘッド３７の走行方向にヘリカルスキャンにより形成されるヘリカルトラック８２と，記録媒体１４であるテープの長手方向に形成されるコントロールトラックＣＴＬと，映像コンテンツデータと同期する時間軸であるタイムコードトラックＴＣから構成される。
【００７６】
ヘリカルトラック８２は，ＳＭＰＴＥにより標準規格されており，１フレームの映像データは，例えば，１０個または１２個等からなる１組のヘリカルトラックに記録される。
【００７７】
ヘリカルトラック８２は，映像データが記録されるビデオ信号フィールド８０と，音声データが記録されるオーディオ信号フィールド８１と，ＡＵＸ（Ａｕｘｉｌｉａｒｙ）信号フィールド８３とから構成される。なお，映像データおよび音声データは，アナログ形式で記録されてもよい。また，映像データおよび音声データは，例えばＭＰＥＧ−２規格などに基づいて圧縮されてもよい。
【００７８】
（１．３．１  タイムコードについて）
次に，図４および図５を参照しながらタイムコードについて説明する。図５は，タイムコードトラックＴＣに記録されるタイムコードを示す説明図である。
【００７９】
タイムコードは，映像シーンの画像フレームデータのフレームと同期する時間位置を示して，フレーム単位に，図４に示す，タイムコード（Ｌｏｎｇｉｔｕｄｉｎａｌ  ｔｉｍｅ  ｃｏｄｅ）トラックＴＣにタイムコードデータとして記録される。
【００８０】
図５に示すように，タイムコードトラックＴＣに記録されるタイムコードデータは，８０ビットからなる１フレームを１単位として構成されている。この１フレームは，同期信号を記録するための同期信号エリア，時間（ＨＨ），分（ＭＭ），秒（ＳＳ），フレーム（ＦＦ）を表すタイムコード（ＨＨ：ＭＭ：ＳＳ：ＦＦ）を記録するための８個のタイムコード記録ビットエリアと，ユーザーズビット（Ｄ１Ｄ２：Ｃ１Ｃ２：Ｂ１Ｂ２：Ａ１Ａ２）を記録するための８個のユーザーズビット記録エリアとから構成されている。
【００８１】
図５に示すように，タイムコードの時間（ＨＨ）情報は，ビット４８〜５１およびビット５６〜５９で表される２つのビットエリア（Ｈ，Ｈ）に記録されて，分（ＭＭ）情報は，ビット３２〜３５およびビット４０〜４２で表される２つのビットエリアに記録されて，秒（ＳＳ）情報は，ビット１６〜１９およびビット２４〜２６で表される２つのビットエリアに記録されて，フレーム（ＦＦ）情報は，ビット０〜３およびビット８〜９で表される２つのビットエリアに記録される。
【００８２】
（１．３．２  タイムコードトラックに記録される電子ショットマークデータ）
ここで，電子ショットマークデータが記録されるタイムコードトラックＴＣについて説明する。
【００８３】
電子ショットマークデータは，図７に示すように，８個のユーザーズビット記録エリアのうち，ビット４４〜４７，３６〜３９で表される２つのビットエリア（Ｃ１，Ｃ２）に記述される。
【００８４】
電子ショットマークデータは，検出された特徴フレームデータに応じて，特定されるものであり，特徴フレームデータを識別する識別子である。例えば，特徴フレームデータとして“フラッシュ”が検出された場合，電子ショットマークデータは，電子ショットマークの識別コードとして１６進数表示で，「２０」ｈが記述される。
【００８５】
（１．４  特徴フレームデータについて）
次に，本実施の形態にかかる各種の特徴フレームデータについて説明する。
【００８６】
（１．４．１  フラッシュの特徴フレームデータ）
まず，図６を参照しながら，フラッシュの特徴フレームデータについて説明する。図６は，本実施の形態にかかる映像コンテンツ編集支援システムのフラッシュの特徴フレームデータの概略を示す説明図である。
【００８７】
図６に示すように，映像コンテンツデータに含まれるフラッシュの特徴フレームデータ６６０は，フレーム６００，フレーム６１０，・・・，フレーム６５０から構成されている。
【００８８】
フラッシュの特徴フレームデータ６６０は，光の明滅により生じることから，フレーム６００〜フレーム６５０の輝度成分の合計値（平均値）を１フレームごとに計算して，フレーム間に輝度成分の合計値（平均値）の増減が生じた場合，フラッシュの特徴フレームデータ６６０であると判断される。
【００８９】
例えば，輝度成分の合計値（平均値）は，図６に示すように，フレーム６００およびフレーム６１０は，ほぼ同じ合計値であるが，フレーム６１０とフレーム６２０のフレーム間では，輝度成分の合計値（平均値）は増加する。
【００９０】
しかし，フレーム６２０とフレーム６３０のフレーム間では，輝度成分の合計値（平均値）は減少する。したがって，所定時間内に輝度成分の合計値（平均値）が増加および減少していることから，特徴フレームデータ６６０はフラッシュの特徴フレームデータ６６０であると判断される。
【００９１】
なお，フレーム６００〜フレーム６５０のうち，フレーム６００，フレーム６１０，およびフレーム６５０の黒色が最も輝度成分の合計値が低く，フレーム６３０の白色が最も輝度成分の合計値が高いとする。
【００９２】
（１．４．２  クロマフラッシュの特徴フレームデータ）
次に，図７を参照しながら，クロマフラッシュの特徴フレームデータについて説明する。図７は，本実施の形態にかかる映像コンテンツ編集支援システムのクロマフラッシュの特徴フレームデータの概略を示す説明図である。
【００９３】
図７に示すように，映像コンテンツデータに含まれるクロマフラッシュの特徴フレームデータ７９０は，フレーム７１０，フレーム７２０，・・・，フレーム７８０から構成されている。
【００９４】
クロマフラッシュの特徴フレームデータ７９０は，所定時間内に青画面が連続交代的に明滅表示されることにより，青の光の明滅（青クロマフラッシュ）が生じる。また，所定時間内に赤画面の連続交代的に明滅表示されることにより，赤の光の明滅（赤クロマフラッシュ）も生じる。
【００９５】
したがって，クロマフラッシュの特徴フレームデータ７９０は，フレーム７１０〜フレーム７８０のフレーム間におけるＲ−Ｙの色差成分（色差成分Ｒ−Ｙ）またはＢ−Ｙの色差成分（色差成分Ｂ−Ｙ）の合計値（平均値）を１フレームごとに計算して，所定の閾値よりも大きい場合は青画面または赤画面に明度の変化があることを示して，所定時間に複数回変化がある場合を青クロマフラッシュまたは赤クロマフラッシュの特徴フレームデータ７９０あると判断される。なお，所定の閾値は，撮影された映像コンテンツデータに応じて事前に変更可能である。
【００９６】
例えば，フレーム７１０およびフレーム７２０では，明度（輝度）の変化があることを示している。続いて，フレーム７２０およびフレーム７３０においても明度の変化を示している。以後フレーム７３０〜７８０のフレーム間で複数回の明度の変化があることから，特徴フレームデータ７９０はクロマフラッシュであると判断される。
【００９７】
（１．４．３  フェードインの特徴フレームデータ）
次に，図８を参照しながら，フェードインの特徴フレームデータについて説明する。図８は，本実施の形態にかかる映像コンテンツ編集支援システムのフェードインの特徴フレームデータの概略を示す説明図である。
【００９８】
図８に示すように，映像コンテンツデータに含まれるフェードインの特徴フレームデータ８００は，フレーム８１０，フレーム８２０，・・・，フレーム８９０から構成されている。
【００９９】
フェードインの特徴フレームデータ８００は，光が暗から明に次第に変化することにより生じることから，フレーム８１０〜フレーム８９０の輝度成分の合計値（平均値）を１フレームごとに計算して，フレーム間に輝度成分の合計値（平均値）の増加が単調に所定時間生じた場合，フェードインの特徴フレームデータ８００であると判断される。
【０１００】
（１．４．４  フェードアウトの特徴フレームデータ）
次に，図９を参照しながら，フェードアウトの特徴フレームデータについて説明する。図９は，本実施の形態にかかる映像コンテンツ編集支援システムのフェードアウトの特徴フレームデータの概略を示す説明図である。
【０１０１】
図９に示すように，映像コンテンツデータに含まれるフェードアウトの特徴フレームデータ９００は，フレーム９１０，フレーム９２０，・・・，フレーム９８０から構成されている。
【０１０２】
フェードアウトの特徴フレームデータ９００は，光が明から暗に次第に変化することにより生じることから，フレーム９１０〜フレーム９８０の輝度成分の合計値（平均値）を１フレームごとに計算して，フレーム間に輝度成分の合計値（平均値）の減少が単調に所定時間生じた場合，フェードアウトの特徴フレームデータ９００であると判断される。
【０１０３】
（１．４．５  カラーバーの特徴フレームデータ）
次に，図１０を参照しながら，フェードアウトの特徴フレームデータについて説明する。図１０は，本実施の形態にかかる映像コンテンツ編集支援システムのフェードアウトの特徴フレームデータの概略を示す説明図である。
【０１０４】
図１０に示すように，映像コンテンツデータに含まれるカラーバーの特徴フレームデータ１００２は，フレーム１００２ａ，フレーム１００２ｂ，・・・から構成されている。
【０１０５】
カラーバーの特徴フレームデータ１００２は，フレーム１００２ａ，フレーム１００２ｂ，・・・，と１フレーム単位に所定の画像から成るカラーバーが構成されている。したがって，カラーバーは，特定な信号から構成される画像であるため，フレームごとに特定の信号を検出した場合は，カラーバーの特徴フレームデータ１００２であると判断される。
【０１０６】
（２．  映像コンテンツ編集支援システムの各コンポーネントの構成）
次に，図１，図２，および図３を参照しながら，本実施の形態にかかる映像コンテンツ編集支援システムの各コンポーネントの構成について説明する。
【０１０７】
（２．１  ネットワーク１６）
ネットワーク１６は，記録再生装置２と編集者端末装置４とを相互に双方向通信可能に接続するものであり，本実施の形態では，ＲＳ−２３２ＣまたはＲＳ−４２２などの有線通信，またはＩＥＥＥ８０２．１１ａ規格などの無線通信であるが，有線無線問わず，衛星通信，または光ファイバを使用した光通信なども含む。
【０１０８】
（２．２  編集者端末装置４）
編集者端末装置４は，少なくとも中央演算処理部と，通信部と記憶部とを備えた情報処理装置であり，一般的にはコンピュータ装置である。図１に示すように，ラップトップ型の携帯用コンピュータ装置６，携帯電話８，ＰＤＡ（Ｐｅｒｓｏｎａｌ  Ｄｉｇｉｔａｌ（Ｄａｔａ）  Ａｓｓｉｓｔａｎｔｓ）である携帯情報端末装置１０などを例示することができる。
【０１０９】
編集者端末装置４は，記録再生装置２からリアルタイムに伝送される映像コンテンツデータまたは電子ショットマークデータを表示または記録することができる。また，記録再生装置２にネットワーク１６を介して，電子ショットマークデータの変更追加などの編集処理，また映像コンテンツデータの編集処理などをすることができる。
【０１１０】
編集者端末装置４は，図２に示すように，演算機能を備えたＣＰＵ２３（中央演算処理部）と，記録再生装置２とネットワーク１６介して電子ショットマークデータなどを送受信する通信部２１と，映像コンテンツデータなどを表示する表示部２２と，入力部２４と，電子ショットマークデータまたは映像コンテンツデータの編集をする編集部２６と，映像コンテンツデータなどを記憶する記録媒体（図示せず）を備える記憶装置２０とを備えている。
【０１１１】
通信部２１は，ネットワーク１６を介して映像コンテンツデータ，電子マークデータなどを送受信する。また，映像コンテンツデータを受信入力して表示部２２に映像を表示するためのビデオキャプチャなどの機能を備えている。
【０１１２】
入力部２４は，ボタン，レバー，またはキーボードなどから構成されており，キーボードなどを用いて文字などのテキストデータを生成することができる。また，音声入力端子などを備えて外部マイク（図示せず）から音声を入力してテキストデータに変換することもできる。
【０１１３】
（２．３  記録再生装置２）
次に，図３を参照しながら，記録再生装置２について説明する。図３は，本実施の一形態にかかる映像コンテンツ編集支援システムの記録再生装置の概略的な構成を示すブロック図である。
【０１１４】
記録再生装置２は，映像コンテンツデータを記録媒体１４に記録して，記録媒体１４に記録された映像コンテンツデータを再生する機能を有している，ＶＴＲ（Ｖｉｄｅｏ  Ｔａｐｅ  Ｒｅｃｏｒｄｅｒ）装置である。
【０１１５】
図３に示すように，記録再生装置２は，映像および音声データ信号を記録／再生する記録／再生ブロックと，タイムコードなどを設定するマーク設定ブロックと，編集者端末装置４などの外部とデータの送受信を行う通信部７５と，制御装置７６と，映像コンテンツデータから特徴フレームデータを判断する特徴フレーム判断ブロックとから構成される。
【０１１６】
制御装置７６は，電子ショットマークデータなどを記憶する記憶機能を備えて，さらにＣＰＵ６７，記録部５４，および動作制御部３３と接続して，送受信するデータまたは信号を制御する制御装置である。
【０１１７】
記録／再生ブロックは，デジタル信号記録部７１，デジタル信号再生部７２，アナログ音声信号記録部７３，アナログ音声信号発生部７４，タイムコードであるタイムコードデータ信号を記録／再生するための固定ヘッド５５および固定ヘッド３８，キャプスタンモータ３５と，ドラムモータ３６と，映像データ信号および音声データ信号を記録／再生する回転ヘッド部３７と，モータ制御部３４とから構成される。
【０１１８】
記録／再生ブロックは，被写体から撮影された映像または音声などから構成される映像コンテンツデータを，映像データ信号または音声データ信号に変換して，映像データ信号または音声データ信号として記録または再生する。また，特徴フレームデータに基づいて発生される電子ショットマークデータ信号を記録媒体１４に記述する。
【０１１９】
記録／再生ブロックに構成される記録再生装置２の電源を入れるなどの記録動作や再生動作等の動作モードなどを設定する操作スイッチ部３２は，動作制御部３３に接続されている。動作制御部３３は，操作スイッチ部３２で設定された動作モード信号ＣＴに基づきモータ制御信号ＭＣ及びモード信号ＭＳを生成，また，制御装置７６に接続されており，動作モード信号ＣＴを送受信する。
【０１２０】
モータ制御信号ＭＣはモータ制御部３４に伝送され，モード信号ＭＳは記録部５４，再生部６１，デジタル信号記録部７１，デジタル信号再生部７２，アナログ音声信号記録部７３，アナログ音声信号発生部７４及び単安定マルチバイブレータ（以下，「モノマルチ」）１７に伝送される。
【０１２１】
モータ制御部３４では，伝送されたモータ制御信号ＭＣに基づきモータ駆動信号ＭＤが生成される。このモータ駆動信号ＭＤがキャプスタンモータ３５及びドラムモータ３６に伝送されることにより，記録媒体１４である磁気テープが走行すると共に複数のヘッドを有する回転ヘッド部３７が回転する。
【０１２２】
上記回転ヘッド部３７により，電子ショットマークデータは，撮影される映像コンテンツデータに記述されることにより，記録媒体１４に記録される。
【０１２３】
マーク設定ブロックは，設定スイッチ４０と，データ信号発生部４１と，タイムコードデータ保持部４２と，ユーザデータ保持部４３と，記録開始データ保持部４４と，電子マークテキストデータ保持部４５と，属性マークデータ保持部７８と，モノマルチ５１およびモノマルチ４７と，信号切換スイッチ１９および信号切換スイッチ７７と，マーカボタン５０と，信号変調部５３と，記録部５４とから構成される。
【０１２４】
マーク設定ブロックは，記録媒体１４に映像コンテンツデータと同期する時間情報であるタイムコードデータが生成される。また，マーカボタン５０またはマーカ入力部７９からの入力により，電子マークデータが生成される。
【０１２５】
また，設定スイッチ部４０は，撮影時間，タイムコードデータなどの情報を記録するか否かの設定が行われ，設定信号ＳＳをパターン発生手段であるデータ信号発生部４１に伝送する。
【０１２６】
データ信号発生部４１では，設定スイッチ部４０からの設定信号ＳＳに基づきタイムコードデータＤＴ，ユーザデータＤＵ，記録開始マークデータＤＣ，および電子マークデータＤＭを生成する。ここで生成されたタイムコードデータＤＴはタイムコードデータ保持部４２に保持されると共に信号変調部５３に伝送される。
【０１２７】
またユーザデータＤＵは，ユーザデータ保持部４３に保持されると共に信号切換スイッチ４９の端子ａに伝送される。電子マークデータＤＭは電子マークデータ保持部４５に保持されると共に信号切換スイッチ７７の端子ｂに伝送される。記録開始マークデータＤＣは記録開始データ保持部７８に保持されると共に信号切換スイッチ７７の端子ａに伝送される。
【０１２８】
モノマルチ４７は，モード信号ＭＳに基づき動作モードが記録動作に移行したとき所定時間ハイレベル「Ｈ」の信号ＭＴを生成する。モードタイミング信号ＭＴは，論理和回路５２に伝送される。
【０１２９】
論理和回路５２は，信号ＭＲを信号切換スイッチ１９に伝送する。信号切換スイッチ１９では，この信号ＭＲによって可動端子が制御される。
【０１３０】
信号変調部５３は，タイムコードデータ保持部４２から伝送されたタイムコードデータＤＴの更新を行う。また更新されたタイムコードデータＤＴは，信号切換スイッチ４９で選択されたデータと共に変調されて記録データ信号ＷＴとなる。この記録データ信号ＷＴは，記録部５４に伝送される。したがって，タイムコードデータＤＴが常に更新されながら記録媒体１４におけるタイムコードトラックＴＣに記録される。
【０１３１】
記録部５４は，伝送される記録データ信号ＷＴを，記録データ信号ＷＳに変換して，動作制御部３３から伝送されるモード信号ＭＳに基づいて記録データ信号ＷＳを，固定ヘッド５５および回転ヘッド部３７に伝送する。また制御装置７６から電子ショットマークデータが含まれる記録データ信号ＷＴが伝送される。
【０１３２】
回転ヘッド部３７は，記録データ信号ＷＳに基づき，電子ショットマークデータを映像コンテンツデータに記述して，電子マークデータが記述された映像コンテンツデータを記録媒体１４に記録する。
【０１３３】
また，固定ヘッド５５は，記録データ信号ＷＳに基づき，タイムコードデータおよび電子ショットマークデータを，映像コンテンツデータと同期するように，記録媒体１４に記録する。
【０１３４】
特徴フレーム判断ブロックは，特徴フレーム判断部６３と，再生部６１と，電子ショットマーク発生部６６と，ＣＰＵ６７と，表示部６８と，選択設定スイッチ６９とから構成される。
【０１３５】
特徴フレーム判断ブロックは，記録媒体１４に記録された映像コンテンツデータを再生することにより，映像コンテンツデータに各種の特徴フレームデータが含まれるかを判断し，含まれる場合は，特徴フレームデータの種類に応じて，電子ショットマークデータを生成して，電子ショットマークデータ信号と電子ショットマークデータ信号に同期するタイムコードデータＤＴを制御装置７６に伝送する。
【０１３６】
再生部６１は，固定ヘッド５５および回転ヘッド部３７に接続されており，固定ヘッド５５からの再生信号ＲＳは，再生映像コンテンツデータ信号ＲＴに変換されて特徴フレーム判断部６３に伝送される。
【０１３７】
表示部６８は，液晶ディスプレイなどから構成されて，電子マークデータ，電子ショットマークデータ，タイムコードデータ，および映像コンテンツデータなどを表示する。
【０１３８】
選択設定スイッチ６９は，特徴フレームデータを判断する基準となる閾値の設定などをするための設定入力スイッチである。選択設定スイッチ６９から閾値の設定をすることによりＣＰＵ６７から特徴フレーム判断部６３にパラメータＰＲが伝送される。
【０１３９】
電子ショットマーク発生部６６は，電子ショットマークデータ信号を生成して，ＣＰＵ６７から要求される特徴フレームデータの種類に応じて電子ショットマークデータ信号を生成する。
【０１４０】
ＣＰＵ６７は，特徴フレーム判断部から送信される判断信号ＤＥに基づいて，特徴フレームデータの種類を判断して，種類に応じて該当する電子ショットマークデータを制御装置７６へ送信する。なお，本実施の形態では，ＣＰＵ６７と，特徴フレーム判断部とから構成されるが，ＣＰＵ６７および特徴フレーム判断部６３とを一つに構成して特徴フレームデータ判断部として構成することも実施可能である。
【０１４１】
（２．３．１  特徴フレーム判断部６３について）
次に，図１１を参照しながら，特徴フレーム判断部６３について説明する。図１１は，本実施の形態にかかる映像コンテンツ編集支援システムの特徴フレーム判断部の概略を示すブロック図である。
【０１４２】
図１１に示すように，特徴フレーム判断部６３は，映像コンテンツデータの１フレーム分の画像データ（画像フレームデータ）を記憶するフレームメモリ１１００と，カラーバーなどの予め特定された特徴フレームデータ信号を検出する特定信号検出回路１１０６と，フレームメモリ１１００に記憶された画像フレームデータと，記憶された直後の画像フレームデータとを１画素ごとに比較する画素比較回路１１０２と，画像フレームデータごとに輝度成分や色差成分の合計値（平均値）を求める平均値検出回路１１０４と，特定信号検出回路１１０６，画素比較回路１１０２，および平均値検出回路１１０４とから受信する検出値に基づき特徴フレームデータであるか判断する特徴フレーム演算部１１０８とから構成される。
【０１４３】
特徴フレーム演算部１１０８は，ＣＰＵ６７により送信される閾値の設定などの情報のパラメータＰＲに基づき，特徴フレームデータであるか判断される。特徴フレームデータであると判断した場合，特徴フレームデータの種類を識別する電子ショットマークデータＩＤ信号を，ＣＰＵ６７に送信する。
【０１４４】
なお，デジタル信号記録部７１ではデジタルの映像信号および音声信号が記録信号に変換される。またこの記録信号が動作制御部３３から伝送されたモード信号ＭＳに基づき回転ヘッド部３７に伝送されて，回転ヘッド部３７は，磁気テープである記録媒体１４に信号の記録を行う。
【０１４５】
さらに，デジタル信号記録部７１は，編集者端末装置４に映像データを送信するために，映像記録信号を制御装置７６へ伝送する。伝送された記録信号は，編集者端末装置４に送信して表示できるように，変換されて，通信部７５から，ＳＤＩによりネットワーク１６を介して，編集者端末装置４へ送信される。
【０１４６】
記録媒体１４を再生して回転ヘッド部３７から得られる再生信号は，デジタル信号再生部７２に伝送されてデジタルの映像信号や音声信号に変換されて，再生部６１および制御装置７６へ伝送される。
【０１４７】
また，アナログ音声信号記録部７３は，アナログの音声信号を記録信号に変換する。この記録信号は，動作制御部３３から伝送されるモード信号ＭＳに基づき固定ヘッド３８または制御装置７６に伝送されて記録される。記録媒体１４または制御装置７６から得られた再生信号は，アナログ音声信号再生部７４に伝送されてアナログの音声信号に変換される。
【０１４８】
（３．  映像コンテンツ編集支援システムの編集処理）
次に，上記のように構成された映像コンテンツ編集支援システムの動作の実施形態について説明する。
【０１４９】
（３．１  ショットカードデータ作成処理）
まず，図３，図１１，および図１４を参照しながら，記録再生装置２による特徴フレームデータの判断処理について説明する。図１４は本実施の形態にかかる映像コンテンツ編集支援システムのショットカードデータ作成処理を示すフローチャートである。
【０１５０】
まず，撮影された映像コンテンツデータから特徴フレームデータが含まれるか判断処理をするため，記録再生装置２の操作スイッチ部３２から電源をオンにすると，動作制御部３３ではＶＴＲ（Ｖｉｄｅｏ  Ｔａｐｅ  Ｒｅｃｏｒｄ）ステータスが再生状態となり，通信部７５から編集者端末装置４にＶＴＲステータス信号が送信される。
【０１５１】
次に，編集者端末装置４の電源をオンにして，記録再生装置２により再生される映像コンテンツデータを受信できるように，また，特徴フレームデータの取り込み（キャプチャ）のタイミングや，記録再生装置２の再生速度などを，事前に設定をする。
【０１５２】
（編集者端末装置４に表示される設定画面について）
ここで，図１２および図１３を参照しながら，編集者端末装置４の表示部２２により表示される設定画面について説明する。図１２は，本実施の形態にかかる映像コンテンツ編集支援システムの編集者端末装置に表示される検出設定画面の表示例を示す説明図であり，図１３は，本実施の形態にかかる映像コンテンツ編集支援システムの編集者端末装置に表示される取込設定画面の表示例を示す説明図である。
【０１５３】
図１２に示すように，検出設定画面２１００は，再生速度を設定する速度設定部２１０２と，抽出する特徴フレームデータの対象を設定する特徴フレーム設定部２１０４とから構成される。
【０１５４】
速度設定部２１０２から再生速度を変更することにより，映像コンテンツデータを視聴する通常再生速度よりも速く，再生処理することが可能となり，特徴フレームデータの検出処理効率が上がる。また，各種設定が終了して，「再生」ボタンがマウスのクリックなどで選択されると，記録再生装置２の映像コンテンツデータの再生処理が開始される。
【０１５５】
特徴フレーム設定部２１０４に表示される特徴フレームデータが，マウスのクリックなどで選択されることにより，映像コンテンツデータを再生処理して，検出する特徴フレームデータの種類を選択することができる。
【０１５６】
次に，図１３に示すように，取込設定画面１３００は，特徴フレームデータを抽出する取込タイミングを設定するタイミング設定部１３０２から構成される。例えば，図１３に示すように，タイミング設定部１３０２に「−３」の数値を入力することにより，受信した電子ショットマークデータを基準として，３秒遅れた特徴フレームデータが抽出される。
【０１５７】
したがって，カラーバーの特徴フレームデータ１００２を抽出する場合は，カラーバーの後に撮影された映像シーンの画像フレームデータが記録されているため，特徴フレームデータ１００２の抽出タイミングを調節することにより，映像シーンの開始の画像フレームデータを抽出することが可能となる。
【０１５８】
また，フラッシュの特徴フレームデータ６６０を抽出する場合は，フラッシュは，所定時間内に輝度成分の増加および減少により特徴フレームデータ６６０であると判断されるため，抽出される特徴フレームデータの画像は暗い（輝度が低い）場合が多い。
【０１５９】
したがって，特徴フレームデータ６６０の抽出タイミングを調節することにより，抽出される特徴フレームデータよりも前の画像の明るい（輝度が高い）特徴フレームデータを抽出することが可能となる。
【０１６０】
上記記録再生装置２の電源がオンになり，図１４に示すように，映像コンテンツデータの再生処理が開始される（Ｓ１４０２）と，動作制御部３３から出力されるモータ制御信号ＭＣに基づき再生状態であれば（Ｓ１４０４），モータ制御部３４により，モータ駆動信号ＭＤがキャプスタンモータ３５およびドラムモータ３６に伝送されて，記録媒体１４のテープ走行が開始されると共に回転ヘッド部３７が回転する。
【０１６１】
映像コンテンツデータの再生状態である場合（Ｓ１４０４），動作制御部３３から出力された再生動作を示すモード信号ＭＳに基づいて，回転ヘッド部３７が回転して得られる記録媒体１４のヘリカルトラック８２に記録された映像コンテンツデータの再生信号および固定ヘッド５５により得られるタイムコードトラックＴＣに記録されたタイムコードデータは，デジタル化された再生映像コンテンツデータ信号ＲＴとして再生部により送信される。
【０１６２】
次に，特徴フレーム判断部６３は，再生映像コンテンツデータ信号ＲＴを受信すると，再生映像コンテンツデータ信号ＲＴに基づいて，フレーム間における輝度成分または色差成分の合計値（平均値）およびＣＰＵ６７から伝送されるパラメータＰＲの閾値から特徴フレームデータであるかを判断する（Ｓ１４０６）。
【０１６３】
特徴フレームデータであると判断されると，特徴フレーム判断部６３は，特徴フレームデータの種類を識別するための判断信号ＤＥをＣＰＵ６７に送信する。
【０１６４】
ＣＰＵ６７は，判断信号ＤＥに基づいて，特徴フレームデータの種類を識別して，特徴フレームデータの種類と一対一に対応する電子ショットマークデータ信号を制御装置７６に送信する。
【０１６５】
制御装置７６は，受信した電子ショットマークデータ信号を記録部５４および通信部７５に送信する。通信部７５は，電子ショットマークデータを編集者端末装置４に，ネットワーク１６を介して伝送する（Ｓ１４０８）。
【０１６６】
記録部５４から送信された電子ショットマークデータ信号は，回転ヘッド部３７により，映像コンテンツデータの特徴フレームデータと，ほぼ同期する位置に記録される。
【０１６７】
次に，編集者端末装置４の通信部２１により受信された電子ショットマークデータを基準として，編集部２６は，ネットワーク１６を介して伝送される映像コンテンツデータから特徴フレームデータを抽出する（Ｓ１４１０）。
【０１６８】
編集部２６は，抽出された特徴フレームデータおよび電子ショットマークデータに基づき，ショットカードデータを作成する（１４１２）。なお，表示部２２に表示されるショットカードデータの表示画面は後程詳細に説明する。
【０１６９】
記録再生装置２による記録媒体１４の再生処理が終了するまで，特徴フレームデータの判断処理（Ｓ１４０６）〜ショットカード作成処理（Ｓ１４１２）は，継続処理される。
【０１７０】
なお，本実施の形態にかかる再生処理は，映像コンテンツデータを視聴する場合の通常再生処理を例にあげて説明したが，かかる例に限定されず，通常再生処理よりも再生速度が速い変速再生処理の場合であっても実施可能である。
【０１７１】
（３．１．１  フラッシュの特徴フレームデータ６６０の判断）
ここで，図１４に示す特徴フレームデータの判断処理において，フラッシュの特徴フレームデータ６６０の判断について説明すると，図１１に示すように，画素比較回路１１０２は，受信する再生映像コンテンツデータ信号ＲＴからフレームメモリ１１００に記憶される画像フレームデータと，上記画像フレームデータの直後の画像フレームデータとを１画素ごとに，明度であるＹ成分を基準に，比較して，パラメータＰＲで設定される閾値以上のフレーム間で差がある画素数の合計を１フレームにわたって，加算する。加算された結果値は，結果値Ｙ＿ｄａｔａとして特徴フレーム演算部１１０８に送信される。
【０１７２】
特徴フレーム演算部１１０８は，結果値Ｙ＿ｄａｔａに基づいて，再度，可変可能な閾値と比較して，結果値Ｙ＿ｄａｔａは，閾値より大きい場合，シーンチェンジであると判断する。
【０１７３】
さらに，画素比較回路１１０２が比較するのとほぼ同期して，平均値検出回路１１０４は，１フレームごとに輝度成分の合計値（平均値）を求め，輝度成分Ｙを特徴フレーム演算部１１０８に送信する。
【０１７４】
特徴フレーム演算部１１０８は，シーンチェンジ判断後，所定時間内に輝度成分Ｙの増減が発生した場合，フラッシュの特徴フレームデータ６６０であると判断する。
【０１７５】
（３．１．２  クロマフラッシュの特徴フレームデータ７９０の判断）
また，クロマフラッシュの特徴フレームデータ７９０の判断について説明すると，図１１に示すように，画素比較回路１１０２は，受信する再生映像コンテンツデータ信号ＲＴからフレームメモリ１１００に記憶される画像フレームデータと，上記画像フレームデータの直後の画像フレームデータとを，色差成分（Ｒ−Ｙ）または色差成分（Ｂ−Ｙ）を基準として比較して，可変可能な閾値以上の差がある場合を加算（カウントアップ）して，１フレームにわたるＲ−Ｙ画素の結果値Ｒ−Ｙ＿ＰＩＸ＿ｄａｔａまたはＢ−Ｙ画素の結果値Ｂ−Ｙ＿ＰＩＸ＿ｄａｔａとして特徴フレーム演算部１１０２に伝送する。
【０１７６】
特徴フレーム演算部１１０８は，受信する結果値Ｒ−Ｙ＿ＰＩＸ＿ｄａｔａまたは結果値Ｂ−Ｙ＿ＰＩＸ＿ｄａｔａに基づいて，所定時間内に閾値よりも大きい場合で，複数回続いた場合，クロマフラッシュの特徴フレームデータ７９０と判断する。
【０１７７】
（３．１．３  フェードインの特徴フレームデータ８００の判断）
次に，フェードインの特徴フレームデータ８００の判断について説明すると，図１１に示すように，画素比較回路１１０２は，受信する再生映像コンテンツデータ信号ＲＴからフレームメモリ１１００に記憶される画像フレームデータと，上記画像フレームデータの直後の画像フレームデータとを１画素ごとに，明度であるＹ成分を基準に，比較して，パラメータＰＲで設定される閾値以上の差がある画素数の合計を１フレームにわたって，加算する。加算された結果値は，結果値Ｙ＿ｄａｔａとして特徴フレーム演算部１１０８に送信される。
【０１７８】
特徴フレーム演算部１１０８は，結果値Ｙ＿ｄａｔａに基づいて，再度，可変可能な閾値と比較して，結果値Ｙ＿ｄａｔａは，閾値より大きい場合，シーンチェンジであると判断する。
【０１７９】
さらに，画素比較回路１１０２が比較するのとほぼ同期して，平均値検出回路１１０４は，１フレームごとに輝度成分の合計値（平均値）を求め，輝度成分Ｙを特徴フレーム演算部１１０８に送信する。
【０１８０】
特徴フレーム演算部１１０８は，シーンチェンジ判断後，所定時間内に輝度成分Ｙが単調に増加した場合，フラッシュの特徴フレームデータ８００であると判断する。
【０１８１】
（３．１．４  フェードアウトの特徴フレームデータ９００の判断）
次に，フェードアウトの特徴フレームデータ９００の判断について説明すると，図１１に示すように，画素比較回路１１０２は，受信する再生映像コンテンツデータ信号ＲＴからフレームメモリ１１００に記憶される画像フレームデータと，上記画像フレームデータの直後の画像フレームデータとを１画素ごとに，明度であるＹ成分を基準に，比較して，パラメータＰＲで設定される閾値以上の差がある画素数の合計を１フレームにわたって，加算する。加算された結果値は，結果値Ｙ＿ｄａｔａとして特徴フレーム演算部１１０８に送信される。
【０１８２】
特徴フレーム演算部１１０８は，結果値Ｙ＿ｄａｔａに基づいて，再度，可変可能な閾値と比較して，結果値Ｙ＿ｄａｔａは，閾値より大きい場合，シーンチェンジであると判断する。
【０１８３】
さらに，画素比較回路１１０２が比較するのとほぼ同期して，平均値検出回路１１０４は，１フレームごとに輝度成分の合計値（平均値）を求め，輝度成分Ｙを特徴フレーム演算部１１０８に送信する。
【０１８４】
特徴フレーム演算部１１０８は，シーンチェンジ判断後，所定時間内に輝度成分Ｙが単調に減少した場合，フラッシュの特徴フレームデータ８００であると判断する。
【０１８５】
（３．１．５  カラーバーの特徴フレームデータ１００２の判断）
次に，カラーバーの特徴フレームデータ１００２の判断について説明すると，図１１に示すように，特定信号検出回路１１０６は，受信する再生映像コンテンツデータ信号ＲＴに基づいて，１フレームにおける画像フレームデータの１画素ごとの画素値（画素データ）が，予め決められた画素値である場合，結果値ｃｏｌｏｒを特徴フレーム演算部１１０８に送信する。
【０１８６】
特徴フレーム演算部１１０８は，結果値ｃｏｌｏｒを受信した場合，カラーバーの特徴フレームデータ１００２であると判断する。
【０１８７】
（４．  編集者端末装置４に表示される編集画面について）
次に，本実施の形態にかかる映像コンテンツ編集支援システムの編集者端末装置４の表示部２２に表示される映像コンテンツデータを編集するための表示画面について説明する。
【０１８８】
（４．１  映像コンテンツデータ編集画面１５００）
まず，図１５を参照しながら，表示部２２により表示される映像コンテンツデータ編集画面１５００について説明する。図１５は，本実施の形態にかかる編集者端末装置４に表示される映像コンテンツデータ編集画面の表示例を示す説明図である。
【０１８９】
図１５に示すように，映像コンテンツデータ編集画面１５００は，記録再生装置２から伝送される映像コンテンツデータを表示する映像表示部１５１４と，電子ショットマークデータおよび映像コンテンツデータから抽出された特徴フレームデータに基づいて作成されるショットカードデータ画面１５０２とから構成される。
【０１９０】
ショットカードデータ画面１５０２は，編集部２６により作成されるショットカードデータに基づき，表示部２２に表示される。したがって，ショットカードデータに含まれる情報が，ショットカードデータ画面１５０２に表示される。
【０１９１】
ショットカードデータ画面１５０２は，図１５に示すように，電子ショットマークデータから一対一対応する見出し情報部１５１２と，抽出された特徴フレームデータが表示される特徴フレーム画像部１５１０と，特徴フレーム画像部１５１０の抽出位置（キュー点）を示す抽出点１５０４と，編集開始位置を示すＩｎ点１５０６と，編集終了位置を示すＯｕｔ点１５０８と，Ｉｎ点を設定するための「Ｉｎｐｏｉｎｔ」ボタンと，Ｏｕｔ点を設定するための「Ｏｕｔｐｏｉｎｔ」ボタンとから構成される。
【０１９２】
見出し情報部１５１２は，編集部２６により作成されたショットカードデータに含まれる電子ショットマークデータと一意的に特定されるテキストデータである。
【０１９３】
ショットカードデータ画面１５０２は，電子ショットマークデータが受信される毎に，編集部２６により作成されたショットカードデータに基づいて表示部２２に表示されて，見出し情報部１５１２に表示されるテキストデータから特徴フレームデータの種類を容易に把握することが可能となる。
【０１９４】
テキストデータは，受信する電子ショットマークデータと，一対一対応するように編集部２６により変換される。例えば，フラッシュの特徴フレームデータ６６０の場合，編集部２６は，伝送されるフラッシュの特徴フレームデータ６６０を示す電子ショットマークデータに基づいて，テキストデータ“ＦＬＡＳＨ”に変換して，見出し情報１５１２には，“ＦＬＡＳＨ”と表示される。
【０１９５】
本編集に必要な映像シーンの抽出は，編集範囲であるＩｎ点およびＯｕｔ点までの範囲を定める処理が必要であるが，映像コンテンツデータ編集画面１５００表示されるショットカードデータ画面１５０２から編集位置の範囲を定めるショットカードデータ画面１５０２を選択する。
【０１９６】
選択されると，記録再生装置２は，選択されたショットカードデータ画面１５０２の抽出点１５０４の位置まで移動（キューアップ）して，抽出店１５０４から映像コンテンツデータが再生されて，映像表示部１５１４に映像コンテンツデータが表示されながら，「Ｉｎｐｏｉｎｔ」ボタンまたは「Ｏｕｔｐｏｉｎｔ」ボタンをマウスのクリックなどで選択することにより編集位置の範囲を定めることが可能となる。定められた編集の範囲は，Ｉｎ点１５０６およびＯｕｔ点１５０８に表示される。
【０１９７】
したがって，映像コンテンツデータの最初からすべての映像シーンを再生処理して確認する必要がなく，映像コンテンツデータ編集画面１５００により，本編集に必要となる特殊フレームデータを含む映像シーンの選択および選択された映像シーンを使用する編集範囲を定める粗編集処理が効率的に実施可能となる。
【０１９８】
（５．  編集情報データについて）
映像コンテンツデータ編集画面１５００から粗編集作業が終了すると，編集者端末装置４の編集部２６は，選択されたショットカードデータ画面１５０２のショットカードデータに基づいて，映像シーンの編集位置（タイムコード）などを含むオンライン編集などの本編集するための編集情報データを作成することが可能である。
【０１９９】
編集情報データは，必要に応じて，ＥＤＬ（Ｅｄｉｔ  Ｄｅｃｉｓｉｏｎ  Ｌｉｓｔ），ＸＭＬ（ｅＸｔｅｎｓｉｂｌｅ  Ｍａｒｋｕｐ  Ｌａｎｇｕａｇｅ），ＡＬＥ（Ａｖｉｄ  Ｌｏｇ  Ｅｘｃｈａｎｇｅ），またはＨＴＭＬ（Ｈｙｐｅｒ  Ｔｅｘｔ  Ｍａｒｋｕｐ  Ｌａｎｇｕａｇｅ）のいずれかの形式から作成される。作成された編集情報データに基づいて，本編集においてマスタデータとなる映像コンテンツデータを効率よく，オンライン編集などの編集作業をすることが可能となる。
【０２００】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０２０１】
上記実施形態においては，ネットワーク１６が有線の場合を例にあげて説明したが，本発明はかかる例に限定されない。例えば，無線のネットワークであっても実施することができる。
【０２０２】
【発明の効果】
以上説明したように，本発明によれば，記録された映像コンテンツデータを再生することにより，撮影の対象に応じて，映像コンテンツデータに含まれる特徴的な１または２以上からなる特徴フレームを抽出することにより，編集に必要な特徴を有する映像シーンの選択作業および編集位置の範囲を定める映像シーンの抽出作業を効率的に実施することが可能となる。
【図面の簡単な説明】
【図１】本実施の形態にかかる映像コンテンツ編集支援システムの概略的な構成を示すブロック図である。
【図２】本実施の形態にかかる映像コンテンツ編集支援システムの編集者端末装置の構成を示すブロック図である。
【図３】本実施の形態にかかる映像コンテンツ編集支援システムの記録再生装置の構成を示すブロック図である。
【図４】本実施の形態にかかる映像コンテンツ編集支援システムの記録再生装置の記録媒体を示した説明図である。
【図５】本実施の形態にかかる映像コンテンツ編集支援システムのタイムコードトラックに記録されるタイムコードのフォーマットの一例を示す説明図である。
【図６】本実施の形態にかかる映像コンテンツ編集支援システムのフラッシュの特徴フレームデータの概略を示す説明図である。
【図７】本実施の形態にかかる映像コンテンツ編集支援システムのクロマフラッシュの特徴フレームデータの概略を示す説明図である。
【図８】本実施の形態にかかる映像コンテンツ編集支援システムのフェードインの特徴フレームデータの概略を示す説明図である。
【図９】本実施の形態にかかる映像コンテンツ編集支援システムのフェードアウトの特徴フレームデータの概略を示す説明図である。
【図１０】本実施の形態にかかる映像コンテンツ編集支援システムのカラーバーの特徴フレームデータの概略を示す説明図である。
【図１１】本実施の形態にかかる映像コンテンツ編集支援システムの編集者端末装置の特徴フレーム判断部の構成を示すブロック図である。
【図１２】本実施の形態にかかる映像コンテンツ編集支援システムの編集者端末装置に表示される検出設定画面の表示例を示す説明図である。
【図１３】本実施の形態にかかる映像コンテンツ編集支援システムの編集者端末装置に表示される取込設定画面の表示例を示す説明図である。
【図１４】本実施の形態にかかる映像コンテンツ編集支援システムのショットカードデータ作成処理を示すフローチャートである。
【図１５】本実施の形態にかかる映像コンテンツ編集支援システムの編集者端末装置に表示される映像コンテンツデータ編集画面の表示例を示す説明図である。
【符号の説明】
２    ：記録再生装置
４    ：編集者端末装置
１４  ：記録媒体
１６  ：ネットワーク
２６  ：編集部
５４  ：記録部
６３  ：特徴フレーム判断部
【図１】
0004110817.tif 000002
【図２】
0004110817.tif 000003
【図３】
0004110817.tif 000004
【図４】
0004110817.tif 000005
【図５】
0004110817.tif 000006
【図６】
0004110817.tif 000007
【図７】
0004110817.tif 000008
【図８】
0004110817.tif 000009
【図９】
0004110817.tif 000010
【図１０】
0004110817.tif 000011
【図１１】
0004110817.tif 000012
【図１２】
0004110817.tif 000013
【図１３】
0004110817.tif 000014
【図１４】
0004110817.tif 000015
【図１５】
0004110817.tif 000016